(57)【要約】      （修正有）【課題】各種の電子製品のスクリーン表面に使用され、ＵＶ防汚層が衝撃を吸収すると共に軽微な傷が自然に回復し、スクリーンが傷つかないよう有効的に保護する効果を達成させ、且つ本来の視覚効果を維持させるスクリーン保護フィルム構造を提供する。【解決手段】第一表面及び第二表面を有するプラスチック層２と、プラスチック層の第一表面上に被覆されると共に刳り抜き領域が画定される遮蔽層３と、プラスチック層の第二表面に被覆されるＵＶ防汚層４と、ＵＶ防汚層に被覆される防汚層６と、遮蔽層の下に設置され、電子製品のスクリーン表面に剥がせる方式で貼り合わされる粘着層５とを備える。【選択図】図２
0003198894.tif 000002
【実用新案登録請求の範囲】
【請求項１】
第一表面及び第二表面を有するプラスチック層と、
前記プラスチック層の第一表面に被覆されると共に刳り抜き領域が画定される遮蔽層と、
前記プラスチック層の第二表面に被覆されるＵＶ防汚層と、
前記ＵＶ防汚層に被覆される防汚層と、
前記遮蔽層の下に設置され、電子製品のスクリーンの表面に剥がせる方式で貼り合わされる粘着層とを備えることを特徴とするスクリーン保護フィルム構造。
【請求項２】
前記ＵＶ防汚層の組成成分は、占有比率が３６〜４０％のウレタンアクリレート系モノマー（Urethane acrylate and monomer）と、占有比率が２５〜２９％のメチルイソブチルケトン（Methyl isobutyl ketone）と、占有比率が２５〜２９％のメチルエチルケトン（Methyl ethyl ketone）と、占有比率が６〜８％のプロピレングリコールモノメチルエーテル（Propylene glycol monomethyl ether）と、占有比率が１〜３％の添加剤（Additives）とを含むことを特徴とする、請求項１記載のスクリーン保護フィルム構造。
【請求項３】
前記ＵＶ防汚層の厚さは１００〜３００μｍの範囲が好ましいことを特徴とする、請求項１記載のスクリーン保護フィルム構造 。
【請求項４】
前記プラスチック層の厚さは０.０８〜０.７ｍｍの範囲が好ましいことを特徴とする、請求項１記載のスクリーン保護フィルム構造。
【請求項５】
前記遮蔽層の厚さは５０〜１２０μｍの範囲が好ましいことを特徴とする、請求項１記載のスクリーン保護フィルム構造。
【請求項６】
前記スクリーン保護フィルム構造は、前記刳り抜き領域以外の表面に設置される少なくとも１つの開口部を更に備えることを特徴とする、請求項１記載のスクリーン保護フィルム構造。
【考案の詳細な説明】
【技術分野】
【０００１】
本考案は、スクリーン表面に結合されると共にスクリーンが傷付けられても自然回復（自動修復）し、正常な視聴を確保する効果を有するスクリーン保護フィルム構造に関する。
【背景技術】
【０００２】
現在、多くの人がタッチコントロール式のスクリーンを有する電子製品を使用するようになっている。スクリーンが異物で傷付かないように保護するために、前記スクリーン表面に一層の保護フィルムを貼ることで、スクリーンを保護することが普遍化している。
【０００３】
従来の保護フィルムは概して、フィルム本体と、前記フィルム本体の一面に結合される粘着層と、前記粘着層の一面に結合される離形層とを順に備える。前記粘着層は電子製品のスクリーン表面への粘着に使用され、前記離形層は前記粘着層の未使用状態での保護に用いられる。前記保護フィルムを使用する場合、前記離形層を剥がして前記フィルム本体を前記粘着層からスクリーン表面に貼着させる。保護フィルムは少なくとも製品を美化させ、スクリーン表面に粘着剤が残らず、何度も貼り直し可能であり、防汚性、耐傷性、透過性が高い等の機能を有する。
【考案の概要】
【考案が解決しようとする課題】
【０００４】
しかしながら、各メーカーは製造コストに鑑み、大多数のメーカーではコストの低い材料を選択している。例えば、ポリエチレンテレフタレート(Polyethylene terephthalate、略称PET)、ポリカーボネート(Polycarbonate、略称PC)、オルトフェニルフェロール(O-phenylphenol、略称OPP)、無延伸ポリプロピレン(Casting Polypropylene、略称CPP)、ポリエチレングリコールテレフタレート(Glycol-Polyethylene Terephathalate、略称PETG)等の材質で製造される。これらは上述の基本機能を達成するが、これらの材質は防護性が低く、軽微な傷でもスクリーン表面に模様ができ、正常に視聴できなくなる。特に、使用者が歩行中や外出時には電子製品を携帯用バッグやポケットの中に入れて携帯すると、鍵や硬貨、腕時計、指輪等の物体、或いは粉塵で傷付けられ、傷が広がると保護フィルムの防護機能が失効してしまう。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、スクリーン保護フィルム構造を提供することを主目的とする。
【課題を解決するための手段】
【０００７】
上述した課題を解決し、目的を達成するために、本考案に係るスクリーン保護フィルム構造は、
第一表面及び第二表面を有するプラスチック層と、前記プラスチック層の第一表面に被覆されると共に刳り抜き領域が画定される遮蔽層と、前記プラスチック層の第二表面に被覆されるＵＶ防汚層と、前記ＵＶ防汚層に被覆される防汚層と、前記遮蔽層の下に設置され、電子製品のスクリーンの表面に剥がせる方式で貼り合わされる粘着層とを備えることを特徴とする。
【０００８】
これにより、スクリーン保護フィルム構造が各種の電子製品のスクリーン表面に使用されると、前記ＵＶ防汚層が衝撃を吸収すると共に軽微な傷が自然に回復し、スクリーンが傷つかないよう有効的に保護する効果を達成させ、且つ本来の視覚効果を維持させる。
【０００９】
好ましくは、上述のＵＶ防汚層の組成成分は、占有比率が３６〜４０％のウレタンアクリレート系モノマー（Urethane acrylate and monomer）と、占有比率が２５〜２９％のメチルイソブチルケトン（Methyl isobutyl ketone）と、占有比率が２５〜２９％のメチルエチルケトン（Methyl ethyl ketone）と、占有比率が６〜８％のプロピレングリコールモノメチルエーテル（Propylene glycol monomethyl ether）と、占有比率が１〜３％の添加剤（Additives）とを含む。
【００１０】
好ましくは、上述のＵＶ防汚層の厚さは１００〜３００μｍの範囲である。
【００１１】
好ましくは、上述のプラスチック層の厚さは０.０８〜０.７ｍｍの範囲である。
【００１２】
好ましくは、上述の遮蔽層の厚さは５０〜１２０μｍの範囲である。
【００１３】
好ましくは、上述のスクリーン保護フィルム構造は、前記刳り抜き領域以外の表面に設置される少なくとも１つの開口部を更に備える。
【考案の効果】
【００１４】
本考案によれば、特定の成分で組成される薄型弾性体に多層式の複合構造を組み合わせて、衝撃の吸収及び自立修復の効果を達成させる。
【図面の簡単な説明】
【００１５】
【図１】本考案の第１実施形態によるスクリーン保護フィルム構造を示す外観斜視図である。
【図２】本考案の第１実施形態によるスクリーン保護フィルム構造のＡ−Ａ’の縦断面図である。
【考案を実施するための形態】
【００１６】
以下に図面を参照して、本考案を実施するための形態について、詳細に説明する。なお、本考案は、以下に説明する実施形態に限定されるものではない。
【００１７】
＜第１実施形態＞
以下、本考案の実施形態について、図面を参照しながら説明する。
図１は本考案の第１実施形態によるスクリーン保護フィルム構造を示す外観斜視図である。前記保護フィルム構造（１）は一般的な電子製品のスクリーン表面に使用され、且つ実施後には前記電子製品を携帯中や物に接触した際に前記スクリーンが傷付かないように保護する。また、前記保護フィルム構造（１）には少なくとも１つ以上の開口部（１１）が開設され、その大きさ及び形状は電子製品の機能キー、マイク、レンズ等に対応し、これら前記の機能の正常な操作に影響を与えない。
【００１８】
また、図２は本考案のスクリーン保護フィルム構造のＡ−Ａ’の縦断面図である。図２から明確に分かるように、前記構造は、第一表面（図面方向から見て下方の表面）及び第二表面（図面方向から見て上方の表面）を有するプラスチック層（２）と、前記プラスチック層（２）の第一表面に被覆されると共に刳り抜き領域（３１）が画定され、且つ前記刳り抜き領域（３１）の形状及び大きさは結合される電子製品の表示スクリーンに対応する遮蔽層（３）と、前記プラスチック層（２）の第二表面に被覆されるＵＶ防汚層（４）と、前記ＵＶ防汚層（４）に被覆される防汚層（６）と、前記遮蔽層（３）に設置され、且つ剥がせる方式で前記電子製品のスクリーンに貼付される粘着層（５）とを少なくとも備える。
【００１９】
前記スクリーン保護フィルム構造（１）の各層の構造は好ましい実施過程では、以下の規格がそれぞれ採用される。前記プラスチック層（２）には、ポリカーボネート（Polycarbonate、略称PC）、ポリメタクリル酸メチル（Polymethylmethacrylate、略称PMMA）、ポリエチレンテレフタレート（Polyethylene Terephthalate、略称PET）等の複合材質の内の何れか１つが採用され、且つ厚さは０.０８〜０.７ｍｍの範囲が好ましい。前記遮蔽層（３）は印刷用インキであり、且つ厚さは５０〜１２０μｍの範囲が好ましい。前記ＵＶ防汚層（４）は厚さが約１００〜３００μｍの範囲が好ましい。前記粘着層（５）の厚さは前記遮蔽層（３）の厚さよりも薄く、且つ前記粘着層（５）には静電接着が採用され、施工面積は前記遮蔽層（４）（スクリーンの周囲に対応する）及び前記ＵＶ防汚層（４）（スクリーンの面積に対応する）の合計が含まれる。
【００２０】
特に、前記ＵＶ防汚層（４）の組成成分は、ウレタンアクリレート系モノマー（Urethane acrylate and monomer）と、メチルイソブチルケトン（Methyl isobutyl ketone）と、メチルエチルケトン（Methyl ethyl ketone）と、プロピレングリコールモノメチルエーテル（Propylene glycol monomethyl ether）と、添加剤（Additives）とを少なくとも含む。ウレタンアクリレート系モノマー（Urethane acrylate and monomer）の占有比率は３６〜４０％であり、メチルイソブチルケトン（Methyl isobutyl ketone）の占有比率は２５〜２９％であり、メチルエチルケトン（Methyl ethyl ketone）の占有比率は２５〜２９％であり、プロピレングリコールモノメチルエーテル（Propylene glycol monomethyl ether）の占有比率は６〜８％であり、添加剤（Additives）の占有比率は１〜３％である。この混合で組成される薄型の弾性に富むＵＶ防汚層（４）が衝撃を有効的に吸収し、且つ軽微な傷が付いても自動回復し、スクリーンが傷付くのを防ぎ、本来の視覚効果を維持させる。
【００２１】
上述のスクリーン保護フィルムの構造設計により、本考案が電子製品のスクリーン表面に貼られた後には、弾性を有するＵＶ防汚層の作用により、接触や軽微な傷が表面に付いても、自立的に弾性で回復し、凹み（傷）から復元させ、正常な視聴に影響を及ぼさない。また、前記防汚層（６）は指紋が付くのを有効的に減らすか防ぎ、油汚れ等の汚れを残留させない。こうすれば、スクリーン保護の効果を達成させるばかりではなく、さらに防汚効果も達成させる。
【００２２】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００２３】
１    保護フィルム構造
１１  開口部
２    プラスチック層
３    遮蔽層
３１  刳り抜き領域
４    ＵＶ防汚層
６    防汚層
５    粘着層
【図１】
0003198894.tif 000003
【図２】
0003198894.tif 000004
【手続補正書】
【提出日】平成27年5月27日(2015.5.27)
【手続補正１】
【補正対象書類名】実用新案登録請求の範囲
【補正対象項目名】請求項３
【補正方法】変更
【補正の内容】
【請求項３】
前記ＵＶ防汚層の厚さは１００〜３００μｍの範囲であることを特徴とする、請求項１記載のスクリーン保護フィルム構造 。
【手続補正２】
【補正対象書類名】実用新案登録請求の範囲
【補正対象項目名】請求項４
【補正方法】変更
【補正の内容】
【請求項４】
前記プラスチック層の厚さは０.０８〜０.７ｍｍの範囲であることを特徴とする、請求項１記載のスクリーン保護フィルム構造。
【手続補正３】
【補正対象書類名】実用新案登録請求の範囲
【補正対象項目名】請求項５
【補正方法】変更
【補正の内容】
【請求項５】
前記遮蔽層の厚さは５０〜１２０μｍの範囲であることを特徴とする、請求項１記載のスクリーン保護フィルム構造。